(57)【要約】【課題】十分な強度や耐久性を有すると共に、大口径の流入管又は流出管と接続可能にする。【解決手段】雨水貯留浸透構造体２０を構成するプラスチック製の複数の組立体２１のうち、上面視で隣接する少なくとも２つの組立体に置き換えて使用されるコンクリート製の補強部材１０であって、中空の角筒状に形成され、隣接する組立体に通水するための開口部を備える補強部材。上記補強部材を複数のブロック体を積層して構成してもよく、複数のブロック体は、上面及び底面が開口する直壁ブロック体１１ｅをさらに含んでもよい。上面に点検口をさらに設けてもよく、内壁に踏ざん（ステップ１５）をさらに有してもよい。１つの側面に流入管又は流出管と接続される管接続部１３を設け、この管接続部の口径を従来より大きく設定することで、大口径の流入管又は流出管と接続することができる。【選択図】図１
2016102293.tif 000002
【特許請求の範囲】
【請求項１】
雨水貯留浸透構造体を構成するプラスチック製の複数の組立体のうち、上面視で隣接する少なくとも２つの組立体に置き換えて使用されるコンクリート製の補強部材であって、
中空の角筒状に形成され、
隣接する組立体に通水するための開口部を備えることを特徴とする補強部材。
【請求項２】
複数のブロック体を積層して構成されることを特徴とする請求項１に記載の補強部材。
【請求項３】
前記複数のブロック体は、上面及び底面が開口する直壁ブロック体をさらに含むことを特徴とする請求項２に記載の補強部材。
【請求項４】
上面に点検口を有することを特徴とする請求項１、２又は３に記載の補強部材。
【請求項５】
内壁に踏ざんを有することを特徴とする請求項１乃至４のいずれかに記載の補強部材。
【請求項６】
１つの側面に流入管又は流出管と接続される管接続部を有することを特徴とする１乃至５のいずれかに記載の補強部材。
【請求項７】
前記複数のブロック体は、
前記管接続部の上側部分を形成する上側管接続部を有する上側管接続ブロック体と、
前記管接続部の下側部分を形成する下側管接続部を有する下側管接続ブロック体と、
底部を有する底部ブロック体とを含むことを特徴とする請求項６に記載の補強部材。
【請求項８】
前記複数のブロック体は、
前記管接続部の上側部分を形成する上側管接続部を有する上側管接続ブロック体と、
前記管接続部の下側部分を形成する下側管接続部及び底部を有する下側管接続底部ブロック体とを含むことを特徴とする請求項６に記載の補強部材。
【請求項９】
プラスチック製の複数の組立体からなる雨水貯留浸透構造体と、該雨水貯留浸透構造体を構成するプラスチック製の複数の組立体のうち、上面視で隣接する少なくとも２つの組立体に置き換えて使用されるコンクリート製の補強部材とを含む雨水貯留浸透施設であって、
前記補強部材は、
中空の角筒状に形成され、
隣接する組立体に通水するための開口部を備えることを特徴とする雨水貯留浸透施設。
【発明の詳細な説明】
【技術分野】
【０００１】
本発明は、プラスチック製の複数の組立体からなる雨水貯留浸透構造体を補強するための部材、及びこの補強部材を備えた雨水貯留浸透施設に関する。
【背景技術】
【０００２】
雨水貯留浸透施設に用いられる雨水貯留浸透構造体は、特許文献１及び図１４に示されるように、集水した雨水の貯留空間として地中に構築される雨水貯留構造体と、集水した雨水を地中で一時的に貯留した後、地中に緩やかに排出して分散浸透させる雨水浸透構造体とを含む。この雨水貯留浸透構造体は、雨水の有効利用を図ったり、雨水が河川や地下雨水管路網へ急激に流入することにより発生する都市型浸水災害を防止したり、地下水を涵養して地盤沈下を抑止するために地中に埋設される。
【０００３】
雨水貯留浸透構造体５０は、複数のプラスチック製の組立体６０を組み合わせることで構成され、雨水貯留浸透構造体５０の上部側面には流入管５１が、下部側面には、流出管５２が各々接続される。
【先行技術文献】
【特許文献】
【０００４】
【特許文献１】特開２０１２−５７３８８号公報
【発明の概要】
【発明が解決しようとする課題】
【０００５】
しかし、上記雨水貯留浸透構造体には、大きな土圧が加わると共に、地震等の場合のように大きな振動が加わった場合でも損傷しないような強度や、耐久性を備える必要がある。また、上記強度を確保するため、流入出管を接続するための貫通孔の径に制限があった。そのため、大口径の流入管又は流出管と接続するためには、大口径の流入出管が貫通孔の口径に接続できるように、流入出管内の雨水を複数の流入出管に分配するための分配管を設ける必要があり、改善の余地があった。
【０００６】
そこで、本発明は、十分な強度や耐久性を有すると共に、大口径の流入管又は流出管とも接続可能な補強部材及び雨水貯留浸透施設を提供することを目的とする。
【課題を解決するための手段】
【０００７】
上記目的を達成するため、本発明は、雨水貯留浸透構造体を構成するプラスチック製の複数の組立体のうち、上面視で隣接する少なくとも２つの組立体に置き換えて使用されるコンクリート製の補強部材であって、中空の角筒状に形成され、隣接する組立体に通水するための開口部を備えることを特徴とする。
【０００８】
本発明によれば、プラスチック製の複数の組立体のうち、上面視で隣接する少なくとも２つの組立体を、中空の角筒状に形成され、隣接する組立体に通水するための開口部を備えたコンクリート製の補強部材に置き換えたため、雨水貯留浸透機能を適正に維持しながら、十分な強度や、耐久性を備えた雨水貯留浸透施設を構成することができる。
【０００９】
該補強部材を複数のブロック体を積層して構成することができる。これにより、補強部材の製造や取り扱いが容易になる。
【００１０】
上記補強部材において、前記複数のブロック体は、上面及び底面が開口する直壁ブロック体をさらに含むことができる。
【００１１】
また、該補強部材は、上面に点検口をさらに有することができる。これにより、作業者が補強部材内で作業を行うことができる。
【００１２】
さらに、該補強部材は、内壁に踏ざんをさらに有することができる。これにより、作業者が補強部材内でより安全に作業を行うことができる。
【００１３】
上記補強部材において、１つの側面に流入管又は流出管と接続される管接続部を有することができる。この管接続部の口径を従来より大きく設定することで、大口径の流入管又は流出管と接続することができる。
【００１４】
また、前記複数のブロック体は、前記管接続部の上側部分を形成する上側管接続部を有する上側管接続ブロック体と、前記管接続部の下側部分を形成する下側管接続部を有する下側管接続ブロック体と、底部を有する底部ブロック体とを含むことができる。
【００１５】
さらに、前記複数のブロック体は、前記管接続部の上側部分を形成する上側管接続部を有する上側管接続ブロック体と、前記管接続部の下側部分を形成する下側管接続部及び底部を有する下側管接続底部ブロック体とを含むことができる。
【００１６】
また、本発明は、プラスチック製の複数の組立体からなる雨水貯留浸透構造体と、該雨水貯留浸透構造体を構成するプラスチック製の複数の組立体のうち、上面視で隣接する少なくとも２つの組立体に置き換えて使用されるコンクリート製の補強部材とを含む雨水貯留浸透施設であって、前記補強部材は、中空の角筒状に形成され、隣接する組立体に通水するための開口部を備えることを特徴とする。本発明によれば、雨水貯留浸透機能を適正に維持しながら、十分な強度や、耐久性を備えた雨水貯留浸透施設を構成することができる。
【発明の効果】
【００１７】
以上のように、本発明によれば、十分な強度や耐久性を有すると共に、大口径の流入管又は流出管とも接続可能な補強部材及び雨水貯留浸透施設を提供することができる。
【図面の簡単な説明】
【００１８】
【図１】本発明に係る雨水貯留浸透施設の構成の一例を示す図であって、（ａ）は斜視図、（ｂ）及び（ｃ）は底面に対して垂直な一面で切断した断面図である。
【図２】本発明に係る補強部材を構成する上側管接続ブロック体の一例を示す図であり、（ａ）は正面図、（ｂ）は底面図、（ｃ）は平面図、（ｄ）は背面図である。
【図３】本発明に係る補強部材を構成する下側管接続ブロック体の一例を示す図であり、（ａ）は正面図、（ｂ）は底面図、（ｃ）は平面図、（ｄ）は背面図である。
【図４】本発明に係る補強部材を構成する底部ブロック体の一例を示す図であり、（ａ）は正面図、（ｂ）は底面図、（ｃ）は背面図である。
【図５】本発明に係る補強部材を構成する床版の一例を示す図であり、（ａ）は正面図、（ｂ）は底面図、（ｃ）は平面図である。
【図６】本発明に係る補強部材を構成する下側管接続底部ブロック体の一例を示す図であり、（ａ）は正面図、（ｂ）は底面図、（ｃ）は平面図、（ｄ）は背面図である。
【図７】本発明に係る補強部材を構成する直壁ブロック体の一例を示す図であり、（ａ）は正面図、（ｂ）は底面図、（ｃ）は平面図、（ｄ）は背面図である。
【図８】図２の上側管接続部が小径である場合の上側管接続ブロック体の一例を示す図であり、（ａ）は正面図、（ｂ）は底面図、（ｃ）は平面図、（ｄ）は背面図である。
【図９】図３の下側管接続部が小径である場合の下側管接続ブロック体の一例を示す図であり、（ａ）は正面図、（ｂ）は底面図、（ｃ）は平面図、（ｄ）は背面図である。
【図１０】図６の下側管接続部が小径である場合の下側管接続ブロック体の一例を示す図であり、（ａ）は正面図、（ｂ）は底面図、（ｃ）は平面図、（ｄ）は背面図である。
【図１１】本発明に係る雨水貯留浸透施設における補強部材の第１の配置例を示す概略図である。
【図１２】本発明に係る雨水貯留浸透施設における補強部材の第２の配置例を示す概略図である。
【図１３】本発明に係る雨水貯留浸透施設における補強部材の第３の配置例を示す概略図である。
【図１４】従来の雨水貯留浸透施設を示す断面図である。
【発明を実施するための形態】
【００１９】
次に、本発明の実施形態について、図面を参照しながら詳細に説明する。
【００２０】
図１は、本発明に係る雨水貯留浸透施設の構成の一例を示し、この雨水貯留浸透施設１は、複数の組立体２１が互いに隣接するように組み合わせて構成された雨水貯留浸透構造体２０と、雨水貯留浸透構造体２０に隣接するようにして配置される補強部材１０とを備える。補強部材１０は、中空の角筒状に形成され、上面視で隣接する４つ、上下方向に３層の合計１２の組立体２１に置き換えて配置される。
【００２１】
補強部材１０は、コンクリート製で、流入管又は流出管（不図示）が接続される本体１１と、本体１１の上面に載置される床版１２とで構成される。また、床版１２には、マンホール躯体３０がさらに載置される。尚、本体１１に流入管が接続される場合、流入管は本体１１の上面近傍に接続され、本体１１に流出管が接続される場合、流出管は本体１１の底面近傍に接続される。図１は、本体１１に流入管が接続される場合の例を示す。尚、本体１１に流出管及び流入管の両方が接続されない場合もある。
【００２２】
本体１１は、底面を有すると共に上面が開口する中空の角筒状に形成される。本体１１の一側面（雨水貯留浸透構造体２０と隣接しない側面）には、流入管又は流出管を接続するための管接続部１３が設けられ、他の側面には、後述する雨水貯留浸透構造体２０に通水するための開口部１４が設けられる。また、本体１１の内壁には、作業者が補強部材１０内で作業する際に使用する「はしご」の踏ざんとして機能する、「コの字」状や「ハの字」状のステップ１５が設けられる。ステップ１５は、本体１１の内壁に穿設された穴に挿入して固定され、底面から上下方向に所定の間隔で設けられる。
【００２３】
本体１１は、例えば、上下方向に複数に分割されたブロック体を組み合わせて積層して形成される。図１に示す補強部材１０は、流入管を接続するためのものであり、上側管接続ブロック体１１ａと、下側管接続ブロック体１１ｂと、底部ブロック体１１ｃとを積層して補強部材１０を形成した例を示す。
【００２４】
上側管接続ブロック体１１ａは、図２に示すように、上面及び底面が開口する角筒状に形成される。一側面には、流入管を接続するための管接続部の一部である上側管接続部１３ａが形成され、その他の側面には矩形状の開口部１４ａが形成される。また、図２では図示を省略するが、上側管接続ブロック体１１ａの内壁には、ステップ１５を装着するための穴が穿設される。
【００２５】
下側管接続ブロック体１１ｂは、図３に示すように、上面及び底面が開口する角筒状に形成される。一側面には、流入管を接続するための管接続部の一部であり、上述した上側管接続部１３ａと同一径の下側管接続部１３ｂが形成され、その他の側面には矩形状の開口部１４ｂが形成される。また、図３では図示を省略するが、下側管接続ブロック体１１ｂの内壁には、には、ステップ１５を装着するための穴が穿設される。
【００２６】
下側管接続ブロック体１１ｂの下側管接続部１３ｂと上側管接続ブロック体１１ａの上側管接続部１３ａとが一致するようにして、下側管接続ブロック体１１ｂ上に上側管接続ブロック体１１ａを積層することにより、上側管接続部１３ａ及び下側管接続部１３ｂで管接続部１３が形成される。
【００２７】
底部ブロック体１１ｃは、図４に示すように、上面が開口すると共に下面に底部を有する角筒状に形成される。ここで、底部ブロック体１１ｃの側面には、上側管接続ブロック体１１ａ及び下側管接続ブロック体１１ｂに形成された開口部１４ａ及び１４ｂと同様の開口部が設けられていない。これは、流入管から雨水が流入した際に、雨水に混入した泥等を本体１１の底部に堆積させる泥溜として用い、泥が雨水貯留浸透構造体２０へ流出するのを防ぐためである。尚、このような泥の流出防止が不要である場合には、上側管接続ブロック体１１ａ及び下側管接続ブロック体１１ｂと同様に、側面に開口部１４を設けてもよい。
【００２８】
床版１２は、図５に示すように、板状部材に対して上下方向に貫通する点検口としての貫通孔１２ａが形成される。貫通孔１２ａは、本体１１の内部の点検・メンテナンス等を行う際に、床版１２上に載置されたマンホール躯体３０から作業者が出入りするための点検口となる。
【００２９】
尚、詳細説明は省略するが、上記ブロック体１１ａ〜１１ｃ及び床版１２は、例えば、相欠け方式で段積みすることができ、これらの間で水平荷重を伝達することができる。また、各ブロック体１１ａ〜１１ｃと隣接する組立体２１との間も水平荷重及び鉛直荷重を伝達可能に互いに連結される。
【００３０】
上述の例では、流入管を接続するための補強部材１０について説明したが、流出管を接続するための補強部材１０についても、同様のブロック体を用いることにより形成することができる。
【００３１】
流出管は、通常補強部材１０の底部（最下段）に接続されるため、この場合には、図６に示すように、底部を有すると共に下側管接続部１３ｄが形成された下側管接続底部ブロック体１１ｄを使用して補強部材１０を形成する。
【００３２】
下側管接続底部ブロック体１１ｄは、上面が開口すると共に下面に底部が形成される。一側面には、流入管を接続するための管接続部の一部であり、上述した下側管接続部１３ｂと同様の下側管接続部１３ｄが形成される。その他の側面には矩形状の開口部１４ｄが形成される。さらに、図６では図示を省略するが、下側管接続底部ブロック体１１ｄの内壁には、ステップ１５を装着するための穴が穿設される。
【００３３】
また、補強部材１０の最上段（例えば、上側管接続ブロック体１１ａの上）や、補強部材１０の中間部には、図７に示すように、上部及び底部が開口する直壁ブロック体１１ｅを使用することができる。直壁ブロック体１１ｅの側面には、上側管接続ブロック体１１ａ及び下側管接続ブロック体１１ｂと同様に矩形状の開口部１４ｅが形成される。直壁ブロック体１１ｅの上面には、床版１２が載置される。
【００３４】
そして、下側管接続底部ブロック体１１ｄ、上側管接続ブロック体１１ａ、直壁ブロック体１１ｅ及び床版１２を順次積層することにより、流出管を接続するための補強部材１０を形成することができる。上記ブロック体１１ｄ、１１ａ、１１ｅ及び床版１２も相欠け方式で段積みすることができ、これらの間で水平荷重を伝達することができる。また、これらと隣接する組立体２１との間も水平荷重及び鉛直荷重を伝達可能に互いに連結される。
【００３５】
尚、図１〜図３、図６に示す各々のブロック体は、流入管又は流出管の径が６００ｍｍ程度である場合について示す例であるが、これらの径が３００ｍｍ程度である場合には、図２、図３及び図６に示すブロック体に代えて、図８〜図１０に示すブロック体を用いて補強部材１０を形成することができる。
【００３６】
上側管接続ブロック体１１ｆは、図８に示すように、側面に上側管接続部１３ｆ及び開口部１４ｆが形成され、上側管接続ブロック体１１ａと略々同様に形成されるが、上側管接続部１３ｆの径が上側管接続部１３ａよりも小径に形成される点で異なる。
【００３７】
下側管接続ブロック体１１ｇは、図９に示すように、側面に下側管接続部１３ｇ及び開口部１４ｇが形成され、下側管接続ブロック体１１ｂと略々同様に形成されるが、下側管接続部１３ｇの径が下側管接続部１３ｂよりも小径に形成される点で異なる。
【００３８】
下側管接続底部ブロック体１１ｈは、図１０に示すように、側面に下側管接続部１３ｈ及び開口部１４ｈが形成され、下側管接続底部ブロック体１１ｄと略々同様に形成されるが、下側管接続部１３ｈの径が下側管接続部１３ｄよりも小径に形成される点で異なる。
【００３９】
このように、各々のブロック体に設けられた上側管接続部及び下側管接続部の径を、流入管又は流出管の径に応じて適宜変更することにより、種々の径を有する流入管又は流出管を接続することができる。
【００４０】
説明は図１に戻り、組立体２１は、面内に開口部を有する合成樹脂板の複数を組み合わせたものである。組立体２１は、例えば、側面を形成する側板部材と、上面及び底面を形成する面板部材とを組み合わせることにより、中空の角筒状に形成される。
【００４１】
側板部材には、通水性を考慮した開口部が適宜穿設されると共に、その中央に、本体１１に設けられた開口部１４と略々同形状の矩形状の開口部が設けられる。また、面板部材には、側板部材と同様に、通水性を考慮した開口部が適宜穿設される。
【００４２】
雨水貯留浸透構造体２０は、複数の組立体２１を水平方向及び垂直方向に互いに隣接するように組み合わせることにより形成される。
【００４３】
図１１は、雨水貯留浸透施設１における補強部材１０の第１の配置例を示す。この例において、補強部材１０は、上面視で隣接する４つ、上下方向に３層の合計１２の組立体２１に置き換えて配置され、管接続部１３が形成された側面以外の３つの側面が雨水貯留浸透構造体２０を形成する組立体２１に隣接するように配置される。
【００４４】
図１２は、雨水貯留浸透施設１における補強部材１０の第２の配置例を示す。この例において、補強部材１０は、上面視で隣接する４つ、上下方向に３層の合計１２の組立体２１に置き換えて配置され、管接続部１３が形成された側面以外の側面のうち、２つの側面が雨水貯留浸透構造体２０を形成する組立体２１に隣接するように配置される。すなわち、補強部材１０は、雨水貯留浸透構造体２０の角部に相当する位置に配置される。
【００４５】
また、第１及び第２の配置例のように補強部材１０を配置する以外にも、例えば、図１３に示す第３の配置例のように、補強部材１０におけるすべての側面が雨水貯留浸透構造体２０を形成する組立体２１に隣接するように補強部材１０を配置してもよい。この例では、図示を省略するが、補強部材１０は、流入管又は流出管を接続するための管接続部１３を備えず、隣接する組立体２１に通水するための開口部１４を備えるだけである。尚、図１３に示すように、補強部材１０のすべての側面を組立体２１に隣接させた場合でも、雨水貯留浸透構造体２０の上面から上方に露出する部分に管接続部１３を設け、流入管を接続することもできる。
【００４６】
以上のように、本実施の形態によれば、コンクリート製の補強部材を雨水貯留浸透施設に用いるため、強度や耐久性を確保することができる。また、１つの側面に流入出管を接続するための管接続部を設け、その径を従来より大きく設定することができる。例えば、従来の管接続部の径は２５０ｍｍ程度であったが、本実施の形態による補強部材を用いることにより、管接続部の径を３００ｍｍ以上６００ｍｍ以下程度まで拡大することができる。これにより、大口径の流入出管と接続する場合でも分配管を設置する必要がなく、十分な強度や耐久性を有すると共に、大口径の流入出管を接続することができる。
【００４７】
尚、上記実施の形態においては、補強部材１０を、上面視で隣接する４つ、上下方向に３層の合計１２の組立体２１に置き換えて配置したが、補強部材１０の寸法を変更することで、上面視で隣接する少なくとも２つの組立体２１に置き換えて雨水貯留浸透構造体２０を上下方向に貫通するように配置することができる。
【符号の説明】
【００４８】
１  雨水貯留浸透施設
１０  補強部材
１１  本体
１１ａ、１１ｆ  上側管接続ブロック体
１１ｂ、１１ｇ  下側管接続ブロック体
１１ｃ  底部ブロック体
１１ｄ、１１ｈ  下側管接続底部ブロック体
１１ｅ  直壁ブロック体
１２  床版
１２ａ  貫通孔
１３  管接続部
１３ａ、１３ｆ  上側管接続部
１３ｂ、１３ｄ、１３ｇ、１３ｈ  下側管接続部
１４（１４ａ、１４ｂ、１４ｄ、１４ｅ、１４ｆ、１４ｇ、１４ｈ）  開口部
１５  ステップ
２０  雨水貯留浸透構造体
２１  組立体
３０  マンホール躯体
【図２】
2016102293.tif 000003
【図３】
2016102293.tif 000004
【図４】
2016102293.tif 000005
【図５】
2016102293.tif 000006
【図６】
2016102293.tif 000007
【図７】
2016102293.tif 000008
【図８】
2016102293.tif 000009
【図９】
2016102293.tif 000010
【図１０】
2016102293.tif 000011
【図１１】
2016102293.tif 000012
【図１２】
2016102293.tif 000013
【図１３】
2016102293.tif 000014
【図１４】
2016102293.tif 000015
【図１】
2016102293.tif 000016